(57)【要約】【課題】伝送効率を低下させることなく誤り率特性を向上させること。【解決手段】復調部１０３において、逆拡散部２０１は、複数の拡散符号の各々を用いて受信信号を逆拡散して複数の相関値を生成する。相関値選択出力部２０２は、前記複数の相関値のうち大きい値を有する所定数の相関値を選択して出力する。メモリ装置２０３は、前記所定数の相関値を記憶する。信号選択出力部２０４は、メモリ装置２０３によって前記所定数の相関値が記憶された時に前記所定数の相関値のうち最大値を有する一の相関値を選択して復調受信信号として出力する。誤り検出部１０５は、前記復調受信信号における誤りを検出する。信号選択出力部２０４は、誤り検出部１０５によって誤りが検出された時に前記所定数の相関値のうち誤りが検出されている前記復調受信信号に対応する相関値以外で最大値を有する一の相関値を選択して復調受信信号として出力する。【選択図】      図１
2004229189.tif 000002
【特許請求の範囲】
【請求項１】
受信信号を複数の拡散符号の各々を用いて逆拡散して複数の相関値を生成する逆拡散手段と、
前記複数の相関値のうち大きい値を有する所定数の相関値を選択して出力する相関値選択出力手段と、
前記所定数の相関値を記憶する記憶手段と、
前記所定数の相関値の一の相関値を選択して復調受信信号として出力する信号選択出力手段と、
前記復調受信信号における誤りを検出する誤り検出手段と、を具備し、
前記信号選択出力手段は、
前記記憶手段によって前記所定数の相関値が記憶された時に前記所定数の相関値のうち最大値を有する一の相関値を選択して復調受信信号として出力し、かつ、前記誤り検出手段によって誤りが検出された時に前記所定数の相関値のうち誤りが検出されている前記復調受信信号に対応する相関値以外で最大値を有する一の相関値を選択して復調受信信号として出力することを特徴とする受信装置。
【請求項２】
前記相関値選択出力手段は、
前記受信信号の受信品質を測定して受信品質測定値を生成する受信品質測定手段と、
前記受信品質測定値に基づいて前記所定数を変更して変更所定数を生成する変更手段と、
前記複数の相関値を互いに比較することにより大きい値を有する前記変更所定数の相関値を選択して出力する相関値比較手段と、を具備することを特徴とする請求項１記載の受信装置。
【請求項３】
前記相関値選択出力手段は、
前記受信信号の遅延波の遅延時間を測定して遅延時間測定値を生成する遅延時間測定手段と、
前記遅延時間測定値に基づいて前記所定数を変更して変更所定数を生成する変更手段と、
前記複数の相関値を互いに比較することにより大きい値を有する前記変更所定数の相関値を選択して出力する相関値比較手段と、を具備することを特徴とする請求項１記載の受信装置。
【請求項４】
前記逆拡散手段は、
送信装置からの１回目の送信時に前記受信信号を前記複数の拡散符号の各々を用いて逆拡散して複数の第１相関値を生成し、かつ、前記送信装置からの再送時に前記受信信号を前記複数の拡散符号の各々を用いて逆拡散して複数の第２相関値を生成し、
前記相関値選択出力手段は、
前記１回目の送信時に前記複数の第１相関値のうち大きい値を有する所定数の第１相関値を選択し、かつ、前記再送時に前記複数の第２相関値のうち大きい値を有する所定数の第２相関値を選択する相関値選択手段と、
前記所定数の第１相関値を一時的に格納する相関値格納手段と、
前記１回目の送信時に前記所定数の第１相関値を出力し、かつ、前記再送時に前記所定数の第１相関値および前記所定数の第２相関値のうち大きい値を有する方を選択して所定数の相関値として出力する相関値出力手段と、を具備することを特徴とする請求項１記載の受信装置。
【請求項５】
前記逆拡散手段は、
送信装置からの１回目の送信時に前記受信信号を前記複数の拡散符号の各々を用いて逆拡散して複数の第１相関値を生成し、かつ、前記送信装置からの再送時に前記受信信号を前記複数の拡散符号の各々を用いて逆拡散して複数の第２相関値を生成し、
前記相関値選択出力手段は、
前記１回目の送信時に前記複数の第１相関値のうち大きい値を有する所定数の第１相関値を選択し、かつ、前記再送時に前記複数の第２相関値のうち大きい値を有する所定数の第２相関値を選択する相関値選択手段と、
前記所定数の第１相関値を一時的に格納する相関値格納手段と、
前記１回目の送信時に前記所定数の第１相関値を出力し、かつ、前記再送時に前記所定数の第１相関値および前記所定数の第２相関値を合成して所定数の相関値として出力する相関値出力手段と、を具備することを特徴とする請求項１記載の受信装置。
【請求項６】
前記逆拡散手段は、
逆拡散ユニットとＲＡＫＥ合成手段とを具備し、
前記逆拡散ユニットは、
前記受信信号の複数のパスにおける複数の信号の各々を前記複数の拡散符号の各々を用いて逆拡散して複数の予備相関値グループを生成し、前記複数の予備相関値グループの各々は複数の予備相関値を有し、
前記ＲＡＫＥ合成手段は、
前記予備相関値グループ毎に前記複数の予備相関値をＲＡＫＥ合成して前記複数の相関値を生成することを特徴とする請求項１記載の受信装置。
【請求項７】
前記逆拡散手段は、
逆拡散ユニットと相関値生成手段とを具備し、
前記逆拡散ユニットは、
複数のアンテナを介して受信され生成される複数の受信信号の各々を前記複数の拡散符号の各々を用いて逆拡散して複数の予備相関値グループを生成し、前記複数の予備相関値グループの各々は複数の予備相関値を有し、
前記相関値生成手段は、
前記予備相関値グループ毎に前記複数の予備相関値のうち最大値を有する予備相関値を選択して前記複数の相関値を生成することを特徴とする請求項１記載の受信装置。
【請求項８】
前記逆拡散手段は、
逆拡散ユニットと相関値生成手段とを具備し、
前記逆拡散ユニットは、
複数のアンテナを介して受信され生成される複数の受信信号の各々を前記複数の拡散符号の各々を用いて逆拡散して複数の予備相関値グループを生成し、前記予備相関値グループの各々は複数の予備相関値を有し、
前記相関値生成手段は、
前記予備相関値グループ毎に前記複数の予備相関値を合成して前記複数の相関値を生成することを特徴とする請求項１記載の受信装置。
【請求項９】
受信信号を複数の拡散符号の各々を用いて逆拡散して複数の相関値を生成する逆拡散ステップと、
前記複数の相関値のうち大きい値を有する所定数の相関値を選択して出力する相関値選択出力ステップと、
前記所定数の相関値を記憶する記憶ステップと、
前記所定数の相関値の一の相関値を選択して復調受信信号として出力する信号選択出力ステップと、
前記復調受信信号における誤りを検出する誤り検出ステップと、を具備し、
前記信号選択出力ステップは、
前記記憶ステップにおいて前記所定数の相関値が記憶された時に前記所定数の相関値のうち最大値を有する一の相関値を選択して復調受信信号として出力する第１信号出力ステップと、前記誤り検出ステップにおいて誤りが検出された時に前記所定数の相関値のうち誤りが検出されている復調受信信号に対応する相関値以外で最大値を有する一の相関値を選択して復調受信信号として出力する第２信号出力ステップと、を具備することを特徴とする受信方法。
【発明の詳細な説明】
【０００１】
【発明の属する技術分野】
本発明は、受信装置および受信方法に関し、特にＣＣＫ（Ｃｏｍｐｌｅｍｅｎｔａｒｙ  ＣｏｄｅＫｅｙｉｎｇ）変調を用いる通信方式を適用する受信装置および受信方法に関する。
【０００２】
【従来の技術】
無線ＬＡＮ（Ｌｏｃａｌ  Ａｒｅａ  Ｎｅｔｗｏｒｋ）においてデータ伝送速度の高速化を実現するための技術の１つとして、標準規格ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１ｂにおいて使用されるＣＣＫ変調方式が挙げられる（たとえば非特許文献１参照）。
【０００３】
ＣＣＫ変調方式を適用する無線ＬＡＮにおける送信装置は、複数のビット（たとえば８ビット）のデータ系列を有する送信信号をシリアル／パラレル変換した後に２つのデータ系列（たとえば２ビットのデータ系列および６ビットのデータ系列）に分割する。また、送信装置は、一方のデータ系列に対応する拡散符号を予め記憶している。たとえば、一方のデータ系列が６ビットを有する場合、６４通りの拡散符号が記憶されている。そして、送信装置は、一方のデータ系列（たとえば上記６ビットのデータ系列）について、当該送信信号におけるデータ系列に対応する拡散符号を選択して、選択された拡散符号を用いて当該送信信号における他方のデータ系列（たとえば上記２ビットの送信データ）を拡散する。そして、送信装置は、このように拡散された送信信号をＲＦ（Ｒａｄｉｏ  Ｆｒｅｑｕｅｎｃｙ）信号に周波数変換して受信装置に対して無線送信する。
【０００４】
以下、ＣＣＫ変調方式を適用する無線ＬＡＮにおける従来の受信装置について図面を用いて概説する。
【０００５】
図１５は、従来の受信装置の構成の一例を示すブロック図である。受信装置１５００は、アンテナ１５０１、無線受信部１５０２、復調部１５０３、誤り訂正部１５０４、誤り検出部１５０５および制御部１５０６を具備している。また、図１６は、復調部１５０３の内部構成の一例を示すブロック図である。復調部１５０３は、逆拡散部１６０１、相関値選択部１６０２およびメモリ装置１６０３を具備している。逆拡散部１６０１は、Ｎ（Ｎは２以上の整数）個の逆拡散装置１６０１−１、１６０１−２、…、１６０１−Ｎを具備している。
【０００６】
無線受信部１５０２は、送信装置から無線送信された送信信号をアンテナ１５０１を介して受信する。無線受信部１５０２は、受信された送信信号をＲＦ信号からベースバンド信号に周波数変換することにより受信信号を生成して復調部１５０３に出力する。逆拡散装置１６０１−１〜１６０１−Ｎは、Ｎ個の拡散符号を各々１つずつ有する。たとえば、上記のように一方のデータ系列が６ビットである場合、６４個の逆拡散装置が６４個の拡散符号をそれぞれ有する。逆拡散装置１６０１−１〜１６０１−Ｎは、Ｎ個の拡散符号の各々を用いて受信信号を逆拡散して、Ｎ個の拡散符号に各々対応するＮ個の逆拡散信号を生成する。Ｎ個の逆拡散信号の各々は固有の相関値を有する。
【０００７】
相関値選択部１６０２は、Ｎ個の拡散符号に各々対応するＮ個の逆拡散信号のうち最大の相関値を有する逆拡散信号を選択する。メモリ装置１６０３は、予めＮ個の拡散符号に各々対応するＮ個のデータ系列を記憶している。メモリ装置１６０３は、相関値選択部１６０２によって選択された最大の相関値を有する逆拡散信号に基づいて、対応するデータ系列を復調受信信号として出力する。
【０００８】
誤り訂正部１５０４は、メモリ装置１６０３からの復調受信信号に対して誤り訂正復号化を行う。誤り検出部１５０５は、誤り訂正部１５０４からの復調受信信号に対して誤り検出［たとえばＣＲＣ（Ｃｈｅｃｋ  Ｒｅｄｕｎｄａｎｃｙ  Ｃｈｅｃｋ）］を行う。誤り検出部１５０５は、誤り検出が行われた復調受信信号を制御部１５０６に出力する。また、誤り検出部１５０５は、復調受信信号の誤りが検出された時に当該復調受信信号に対応する誤り検出結果を生成して制御部１５０６に出力する。
【０００９】
制御部１５０６は、誤り検出部１５０５からの復調受信信号を受信する。制御部１５０６は、誤り検出部１５０５から当該復調受信信号に対応する誤り検出結果を受信しない時に当該復調受信信号を受信データとして出力する。
【００１０】
【非特許文献１】
Ｔｒｅｌｌｉｓ−Ｃｏｄｅｄ  Ｃｏｍｐｌｅｍｅｎｔａｒｙ  Ｃｏｄｅ  Ｋｅｙｉｎｇ  ｆｏｒ  Ｈｉｇｈ−Ｒａｔｅ  Ｗｉｒｅｌｅｓｓ  ＬＡＮ  Ｓｙｓｔｅｍｓ；  ＩＥＥＥ  Ｃｏｍｍｕｎｉｃａｔｉｏｎｓ  Ｌｅｔｔｅｒｓ，  Ｐａｇｅｓ  １９１−１９３，  Ｖｏｌ．５，  Ｎｏ．５，  Ｍａｙ２００１
【００１１】
【発明が解決しようとする課題】
しかしながら、受信装置１５００において用いられるＮ個の拡散符号のうち幾つかの拡散符号を用いて生成された複数の逆拡散信号は比較的大きい相関値を有するため、送信装置が実際に用いた拡散符号と異なる拡散符号と対応する相関値が最大になった時に送信装置が実際に用いた拡散符号と同一の拡散符号に対応する復調受信信号を受信データとして出力することができないから、誤り率特性が良くないという問題があった。
【００１２】
上記の問題に対処する技術の一例として、拡散および逆拡散に用いられる拡散符号の拡散率を大きくするというものが挙げられる。しかしながら、この技術が適用される場合、伝送効率が低下してしまうという問題があった。
【００１３】
本発明は、かかる点に鑑みてなされたものであり、伝送効率を低下させることなく誤り率特性を向上させることができる受信装置および受信方法を提供することを目的とする。
【００１４】
【課題を解決するための手段】
本発明の受信装置は、受信信号を複数の拡散符号の各々を用いて逆拡散して複数の相関値を生成する逆拡散手段と、前記複数の相関値のうち大きい値を有する所定数の相関値を選択して出力する相関値選択出力手段と、前記所定数の相関値を記憶する記憶手段と、前記所定数の相関値の一の相関値を選択して復調受信信号として出力する信号選択出力手段と、前記復調受信信号における誤りを検出する誤り検出手段と、を具備し、前記信号選択出力手段が、前記記憶手段によって前記所定数の相関値が記憶された時に前記所定数の相関値のうち最大値を有する一の相関値を選択して復調受信信号として出力し、かつ、前記誤り検出手段によって誤りが検出された時に前記所定数の相関値のうち誤りが検出されている前記復調受信信号に対応する相関値以外で最大値を有する一の相関値を選択して復調受信信号として出力する構成を採る。
【００１５】
この構成によれば、送信装置が実際に用いた拡散符号と異なる拡散符号に対応する相関値が最大になった時でも送信装置が実際に用いた拡散符号と同一の拡散符号に対応する復調受信信号を受信データとして出力することができ、かつ、拡散符号の拡散率を大きくする必要がないため、伝送効率を低下させることなく誤り率特性を向上させることができる。また、この構成によれば、記憶手段において複数の相関値の全てを記憶する必要がないため、記憶手段のメモリ容量を削減することができる。
【００１６】
本発明の受信装置は、上記構成において、前記相関値選択出力手段が、前記受信信号の受信品質を測定して受信品質測定値を生成する受信品質測定手段と、前記受信品質測定値に基づいて前記所定数を変更して変更所定数を生成する変更手段と、前記複数の相関値を互いに比較することにより大きい値を有する前記変更所定数の相関値を選択して出力する相関値比較手段と、を具備する構成を採る。
【００１７】
この構成によれば、上記効果に加えて、受信信号の受信品質が良好である場合に選択すべき相関値の数を低減することにより記憶手段のメモリ容量を削減することができ、かつ、受信信号の受信品質が良くない場合に選択すべき相関値の数を増大することにより受信品質の劣化に伴う誤り率特性の低下を防止することができる。
【００１８】
本発明の受信装置は、上記構成において、前記相関値選択出力手段が、前記受信信号の遅延波の遅延時間を測定して遅延時間測定値を生成する遅延時間測定手段と、前記遅延時間測定値に基づいて前記所定数を変更して変更所定数を生成する変更手段と、前記複数の相関値を互いに比較することにより大きい値を有する前記変更所定数の相関値を選択して出力する相関値比較手段と、を具備する構成を採る。
【００１９】
この構成によれば、上記効果に加えて、受信信号の遅延波が分散していない場合、選択すべき相関値の数を低減することにより記憶手段のメモリ容量を削減することができ、かつ、受信信号の遅延波が分散している場合、選択すべき相関値の数を増大することによりマルチパスフェージングに起因する誤り率特性の低下を防止することができる。
【００２０】
本発明の受信装置は、上記構成において、前記逆拡散手段が、送信装置からの１回目の送信時に前記受信信号を前記複数の拡散符号の各々を用いて逆拡散して複数の第１相関値を生成し、かつ、前記送信装置からの再送時に前記受信信号を前記複数の拡散符号の各々を用いて逆拡散して複数の第２相関値を生成し、前記相関値選択出力手段が、前記１回目の送信時に前記複数の第１相関値のうち大きい値を有する所定数の第１相関値を選択し、かつ、前記再送時に前記複数の第２相関値のうち大きい値を有する所定数の第２相関値を選択する相関値選択手段と、前記所定数の第１相関値を一時的に格納する相関値格納手段と、前記１回目の送信時に前記所定数の第１相関値を出力し、かつ、前記再送時に前記所定数の第１相関値および前記所定数の第２相関値のうち大きい値を有する方を選択して所定数の相関値として出力する相関値出力手段と、を具備する構成を採る。
【００２１】
この構成によれば、上記効果に加えて、１回目送信時の逆拡散信号および再送時の逆拡散信号のうち相関値が大きい方を使用するため、さらに誤り率特性を向上させることができる。
【００２２】
本発明の受信装置は、上記構成において、前記逆拡散手段が、送信装置からの１回目の送信時に前記受信信号を前記複数の拡散符号の各々を用いて逆拡散して複数の第１相関値を生成し、かつ、前記送信装置からの再送時に前記受信信号を前記複数の拡散符号の各々を用いて逆拡散して複数の第２相関値を生成し、前記相関値選択出力手段が、前記１回目の送信時に前記複数の第１相関値のうち大きい値を有する所定数の第１相関値を選択し、かつ、前記再送時に前記複数の第２相関値のうち大きい値を有する所定数の第２相関値を選択する相関値選択手段と、前記所定数の第１相関値を一時的に格納する相関値格納手段と、前記１回目の送信時に前記所定数の第１相関値を出力し、かつ、前記再送時に前記所定数の第１相関値および前記所定数の第２相関値を合成して所定数の相関値として出力する相関値出力手段と、を具備する構成を採る。
【００２３】
この構成によれば、上記効果に加えて、１回目送信時の逆拡散信号および再送時の逆拡散信号を合成するため、さらに誤り率特性を向上させることができる。
【００２４】
本発明の受信装置は、上記構成において、前記逆拡散手段が、逆拡散ユニットとＲＡＫＥ合成手段とを具備し、前記逆拡散ユニットが、前記受信信号の複数のパスにおける複数の信号の各々を前記複数の拡散符号の各々を用いて逆拡散して複数の予備相関値グループを生成し、前記複数の予備相関値グループの各々が複数の予備相関値を有し、前記ＲＡＫＥ合成手段が、前記予備相関値グループ毎に前記複数の予備相関値をＲＡＫＥ合成して前記複数の相関値を生成する構成を採る。
【００２５】
この構成によれば、上記効果に加えて、受信信号の複数のパスにおける複数の信号を逆拡散することにより生成される複数の逆拡散信号の相関値をＲＡＫＥ合成するため、さらに誤り率特性を向上させることができる。
【００２６】
本発明の受信装置は、上記構成において、前記逆拡散手段が、逆拡散ユニットと相関値生成手段とを具備し、前記逆拡散ユニットが、複数のアンテナを介して受信され生成される複数の受信信号の各々を前記複数の拡散符号の各々を用いて逆拡散して複数の予備相関値グループを生成し、前記複数の予備相関値グループの各々が複数の予備相関値を有し、前記相関値生成手段が、前記予備相関値グループ毎に前記複数の予備相関値のうち最大値を有する予備相関値を選択して前記複数の相関値を生成する構成を採る。
【００２７】
この構成によれば、上記効果に加えて、複数のアンテナを介して受信され生成された複数の受信信号から生成される複数の逆拡散信号のうち相関値の大きい方を使用するため、さらに誤り率特性を向上させることができる。
【００２８】
本発明の受信装置は、上記構成において、前記逆拡散手段が、逆拡散ユニットと相関値生成手段とを具備し、前記逆拡散ユニットが、複数のアンテナを介して受信され生成される複数の受信信号の各々を前記複数の拡散符号の各々を用いて逆拡散して複数の予備相関値グループを生成し、前記予備相関値グループの各々が複数の予備相関値を有し、前記相関値生成手段が、前記予備相関値グループ毎に前記複数の予備相関値を合成して前記複数の相関値を生成する構成を採る。
【００２９】
この構成によれば、上記効果に加えて、複数のアンテナを介して受信され生成された複数の受信信号から生成される複数の逆拡散信号の相関値を合成するため、さらに誤り率特性を向上させることができる。
【００３０】
本発明の受信方法は、受信信号を複数の拡散符号の各々を用いて逆拡散して複数の相関値を生成する逆拡散ステップと、前記複数の相関値のうち大きい値を有する所定数の相関値を選択して出力する相関値選択出力ステップと、前記所定数の相関値を記憶する記憶ステップと、前記所定数の相関値の一の相関値を選択して復調受信信号として出力する信号選択出力ステップと、前記復調受信信号における誤りを検出する誤り検出ステップと、を具備し、前記信号選択出力ステップが、前記記憶ステップにおいて前記所定数の相関値が記憶された時に前記所定数の相関値のうち最大値を有する一の相関値を選択して復調受信信号として出力する第１信号出力ステップと、前記誤り検出ステップにおいて誤りが検出された時に前記所定数の相関値のうち誤りが検出されている復調受信信号に対応する相関値以外で最大値を有する一の相関値を選択して復調受信信号として出力する第２信号出力ステップと、を具備するようにした。
【００３１】
この方法によれば、送信装置が実際に用いた拡散符号と異なる拡散符号に対応する相関値が最大になった時でも送信装置が実際に用いた拡散符号と同一の拡散符号に対応する復調受信信号を受信データとして出力することができ、かつ、拡散符号の拡散率を大きくする必要がないため、伝送効率を低下させることなく誤り率特性を向上させることができる。また、この方法によれば、記憶ステップにおいて複数の相関値の全てを記憶する必要がないため、相関値を記憶するためのメモリ容量を削減することができる。
【００３２】
【発明の実施の形態】
本発明の骨子は、複数の相関値のうち所定数の相関値を記憶した時に前記所定数の相関値のうち最大の相関値を選択して復調受信信号として出力し、かつ、前記復調受信信号の誤りが検出された時に前記所定数の相関値のうち誤りが検出されている前記復調受信信号に対応する相関値以外で最大の相関値を選択して復調受信信号として出力することである。
【００３３】
以下、本発明の実施の形態について、図面を参照して詳細に説明する。
【００３４】
（実施の形態１）
図１は、本発明の実施の形態１に係る受信装置の構成を示すブロック図である。図１に示す受信装置１００は、アンテナ１０１、無線受信部１０２、復調部１０３、誤り訂正部１０４、誤り検出部１０５および制御部１０６を具備している。
【００３５】
無線受信部１０２の入力端子は、アンテナ１０１に接続されている。復調部１０３の入力端子は、無線受信部１０２および誤り検出部１０５に接続されている。誤り訂正部１０４の入力端子は、復調部１０３に接続されている。誤り検出部１０５の入力端子は、誤り訂正部１０４に接続されている。制御部１０６の入力端子は、誤り検出部１０５に接続されている。
【００３６】
また、図２は、復調部１０３の内部構成の示すブロック図である。図２に示す復調部１０３は、逆拡散部２０１、相関値選択出力部２０２、メモリ装置２０３および信号選択出力部２０４を具備している。逆拡散部２０１は、Ｎ（Ｎは２以上の整数）個の逆拡散装置２０１−１、２０１−２、…、２０１−Ｎを具備している。
【００３７】
逆拡散装置２０１−１〜２０１−Ｎの入力端子は、無線受信部１０２に接続されている。相関値選択出力部２０２の入力端子は、逆拡散装置２０１−１〜２０１−Ｎに接続されている。メモリ装置２０３の入力端子は、相関値選択出力部２０２に接続されている。信号選択出力部２０４の入力端子は、メモリ装置２０３および誤り検出部１０５に接続されている。
【００３８】
無線受信部１０２は、送信信号をアンテナ１０１を介して受信する。送信信号は、送信装置（図示せず）において従来技術と同様に生成され無線送信されたものである。無線受信部１０２は、送信信号をＲＦ信号からベースバンド信号に周波数変換して受信信号を生成する。復調部１０３は、無線受信部１０２から受信信号を受信した時に、復調受信信号を出力する。また、復調部１０３は、誤り検出部１０５から誤り検出結果を受信した時に、復調受信信号を出力する。復調部１０３における復調動作の詳細については後述する。
【００３９】
誤り訂正部１０４は、復調部１０３からの復調受信信号に対して誤り訂正復号化を行う。誤り検出部１０５は、誤り訂正部１０４からの復調受信信号に対して誤り検出［たとえばＣＲＣ（Ｃｈｅｃｋ  Ｒｅｄｕｎｄａｎｃｙ  Ｃｈｅｃｋ）］を行う。誤り検出部１０５は、誤り検出が行われた復調受信信号を制御部１０６に出力する。また、誤り検出部１０５は、復調受信信号の誤りが検出された時に当該復調受信信号に対応する誤り検出結果を生成して制御部１０６および復調部１０３に出力する。誤り検出部１０５において、復調受信信号の誤りは、たとえば送信装置が実際に用いた拡散符号と異なる拡散符号に対応する復調受信信号が誤り訂正部１０４から得られた場合などにおいて検出される。
【００４０】
制御部１０６は、誤り検出部１０５からの復調受信信号を受信する。制御部１０６は、誤り検出部１０５から当該復調受信信号に対応する誤り検出結果を受信しない時に当該復調受信信号を受信データとして出力する。
【００４１】
次いで、復調部１０３における復調動作の詳細について説明する。
【００４２】
逆拡散部２０１において、逆拡散装置２０１−１〜２０１−Ｎは、Ｎ個の拡散符号を各々１つずつ有する。逆拡散装置２０１−１〜２０１−Ｎは、Ｎ個の拡散符号の各々を用いて受信信号を逆拡散して、Ｎ個の拡散符号に各々対応するＮ個の逆拡散信号を生成する。Ｎ個の逆拡散信号の各々は、固有の相関値を有する。すなわち、逆拡散部２０１は、受信信号を複数の拡散符号の各々を用いて逆拡散して複数の相関値を生成する動作を実行する。
【００４３】
相関値選択出力部２０２は、Ｎ個の拡散符号に各々対応するＮ個の逆拡散信号を互いに比較することにより相対的に大きい相関値を有する所定数Ｋ（Ｋ＜Ｎ；Ｋは２以上の整数）の逆拡散信号を選択する。より具体的には、相関値選択出力部２０２は、Ｎ個の逆拡散信号のうち最大の相関値を有するものからＫ番目に大きな相関値を有するものまでを含むＫ個の逆拡散信号を選択する。相関値選択出力部２０２は、選択されたＫ個の逆拡散信号をメモリ装置２０３に出力する。すなわち、相関値選択出力部２０２は、複数の相関値のうち大きい値を有する所定数の相関値を選択して出力する動作を実行する。
【００４４】
ここで、相関値選択出力部２０２の内部構成について説明する。
【００４５】
図３は、相関値選択出力部２０２の内部構成の一例を示すブロック図である。図３に示す相関値選択出力部２０２は、受信品質測定部３０１、選択数変更部３０２および相関値比較部３０３を具備している。受信品質測定部３０１の入力端子は、無線受信部１０２に接続されている。選択数変更部３０２の入力端子は、受信品質測定部３０１に接続されている。相関値比較部３０３の入力端子は、逆拡散装置２０１−１〜２０１−Ｎおよび選択数変更部３０２に接続されている。
【００４６】
受信品質測定部３０１は、受信信号の受信品質［たとえばＲＳＳＩ（ＲｅｃｅｉｖｅｄＳｉｇｎａｌ  Ｓｔｒｅｎｇｔｈ  Ｉｎｄｉｃａｔｏｒ）］を測定することにより受信品質測定値を生成して選択数変更部３０２に出力する。選択数変更部３０２は、受信品質測定部３０１からの受信品質測定値に基づいて相関値比較部３０３において設定されている所定数Ｋを変更して変更所定数Ｋａ（Ｋａ＜Ｎ；Ｋａは１以上の整数）を生成する。選択数変更部３０２は、変更所定数Ｋａを相関値比較部３０３に出力する。より具体的には、選択数変更部３０２は、受信品質が良くないことを示す受信品質測定値を受信した時に相関値比較部３０３において設定されている所定数Ｋより大きい値を有する変更所定数Ｋａを生成する。これは、受信信号の受信品質が良くない時に生成される逆拡散信号の誤差は大きくなり、選択すべき逆拡散信号の数を多くした方が良いためである。一方、選択数変更部３０２は、受信品質が良好であることを示す受信品質測定値を受信した時に相関値比較部３０３において設定されている所定数Ｋより小さい値を有する変更所定数Ｋａを生成する。
【００４７】
相関値比較部３０３において、所定数Ｋは予め設定されている。相関値比較部３０３は、逆拡散装置２０１−１〜２０１−ＮからのＮ個の逆拡散信号の相関値を互いに比較することにより相対的に大きい相関値を有するＫ個の逆拡散信号を選択する。相関値比較部３０３は、選択されたＫ個の逆拡散信号をメモリ装置２０３に出力する。
【００４８】
また、相関値比較部３０３は、選択数変更部３０２から変更所定数Ｋａを受信した場合、逆拡散装置２０１−１〜２０１−ＮからのＮ個の逆拡散信号の相関値を互いに比較して、相対的に大きい相関値を有するＫａ個の逆拡散信号を選択する。相関値比較部３０３は、選択されたＫａ個の逆拡散信号をメモリ装置２０３に出力する。そして、相関値比較部３０３は、変更所定数Ｋａを所定数Ｋとして設定する。すなわち、相関値比較部３０３は、複数の相関値を互いに比較することにより大きい値を有する変更所定数の相関値を選択して出力する動作を実行する。
【００４９】
このようにして、受信信号の受信品質が良好である場合に選択すべき相関値の数を低減することによりメモリ装置２０３のメモリ容量を削減することができ、かつ、受信信号の受信品質が良くない場合に選択すべき相関値の数を増大することにより受信品質の劣化に伴う誤り率特性の低下を防止することができる。
【００５０】
図４は、相関値選択出力部２０２の内部構成の他の例を示すブロック図である。図４に示すように、相関値選択出力部２０２は、図３に示す相関値選択出力部２０２における受信品質測定部３０１の代わりに遅延時間測定部４０１を具備しても良い。図４に示す相関値選択出力部２０２において、遅延時間測定部４０１の入力端子は、無線受信部１０２に接続されている。選択数変更部３０２の入力端子は、遅延時間測定部４０１に接続されている。相関値比較部３０３の入力端子は、逆拡散装置２０１−１〜２０１−Ｎおよび選択数変更部３０２に接続されている。
【００５１】
この場合、遅延時間測定部４０１は、受信信号における遅延波の遅延時間を測定することにより遅延時間測定値を生成して選択数変更部３０２に出力する。この場合、選択数変更部３０２は、遅延時間測定部４０１からの遅延時間測定値に基づいて相関値比較部３０３において設定されている所定数Ｋを変更して変更所定数Ｋｂ（Ｋｂ＜Ｎ；Ｋｂは１以上の整数）を生成する。選択数変更部３０２は、変更所定数Ｋｂを相関値比較部３０３に出力する。より具体的には、選択数変更部３０２は、受信信号の遅延波が分散していることを示す遅延時間測定値を受信した時に相関値比較部３０３において設定されている所定数Ｋより大きい値を有する変更所定数Ｋｂを生成する。一方、選択数変更部３０２は、受信信号の遅延波が分散していないことを示す遅延時間測定値を受信した時に相関値比較部３０３において設定されている所定数Ｋより小さい値を有する変更所定数Ｋｂを生成する。
【００５２】
また、相関値比較部３０３は、選択数変更部３０２から変更所定数Ｋｂを受信した場合、逆拡散装置２０１−１〜２０１−ＮからのＮ個の逆拡散信号の相関値を互いに比較して、相対的に大きい相関値を有するＫｂ個の逆拡散信号を選択する。相関値比較部３０３は、選択されたＫｂ個の逆拡散信号をメモリ装置２０３に出力する。そして、相関値比較部３０３は、変更所定数Ｋｂを所定数Ｋとして設定する。
【００５３】
このようにして、受信信号の遅延波が分散していない場合、選択すべき相関値の数を低減することによりメモリ装置２０３のメモリ容量を削減することができ、かつ、受信信号の遅延波が分散している場合、選択すべき相関値の数を増大することによりマルチパスフェージングに起因する誤り率特性の低下を防止することができる。
【００５４】
なお、相関値選択出力部２０２において、受信品質測定部３０１、選択数変更部３０２および遅延時間測定部４０１は、削除されても良い。
【００５５】
メモリ装置２０３は、予めＮ個の拡散符号に各々対応するＮ個のデータ系列を記憶している。メモリ装置２０３は、相関値選択出力部２０２によって選択された相対的に大きい相関値を有するＫ個の逆拡散信号を一時的に記憶する。すなわち、メモリ装置２０３は、所定数の相関値を記憶する動作を実行する。
【００５６】
信号選択出力部２０４は、メモリ装置２０３に記憶されたＫ個の逆拡散信号の一の相関値を選択して出力する。より具体的には、信号選択出力部２０４は、Ｋ個の逆拡散信号がメモリ装置２０３に記憶された時に、メモリ装置２０３に記憶されたＫ個の逆拡散信号のうち最大の相関値を有する逆拡散信号を選択して、対応するデータ系列を読み出して復調受信信号として出力する。また、信号選択出力部２０４は、誤り検出部１０５から誤り検出結果を受信した時に、Ｋ個の逆拡散信号のうち誤りが検出されている復調受信信号に対応する相関値以外で最大の相関値を有する逆拡散信号を選択して、対応するデータ系列を読み出して復調受信信号として出力する。
【００５７】
すなわち、信号選択出力部２０４は、メモリ装置２０３によって所定数の相関値が記憶された時に、前記所定数の相関値のうち最大値を有する一の相関値を選択して復調受信信号として出力する動作を実行する。また、信号選択出力部２０４は、誤り検出部１０５によって誤りが検出された時に、前記所定数の相関値のうち誤りが検出されている復調受信信号に対応する相関値以外で最大値を有する一の相関値を選択して復調受信信号として出力する動作を実行する。
【００５８】
このように、実施の形態１によれば、送信装置が実際に用いた拡散符号と異なる拡散符号に対応する相関値が最大になった時でも送信装置が実際に用いた拡散符号と同一の拡散符号に対応する復調受信信号を受信データとして出力することができ、かつ、拡散符号の拡散率を大きくする必要がないため、伝送効率を低下させることなく誤り率特性を向上させることができる。また、実施の形態１によれば、メモリ装置２０３においてＮ個の相関値の全てを記憶する必要がないため、メモリ装置２０３のメモリ容量を削減することができる。
【００５９】
（実施の形態２）
図５は、本発明の実施の形態２に係る受信装置の構成を示すブロック図である。なお、実施の形態２に係る受信装置は、実施の形態１に係る受信装置１００と同様の基本的構成を有しており、同一の構成要素には同一の参照符号を付し、その説明を省略する。図５に示す受信装置５００は、図１に示す受信装置１００における復調部１０３の代わりに復調部５０１を具備して成るものである。
【００６０】
無線受信部１０２の入力端子は、アンテナ１０１に接続されている。復調部５０１の入力端子は、無線受信部１０２および誤り検出部１０５に接続されている。誤り訂正部１０４の入力端子は、復調部５０１に接続されている。誤り検出部１０５の入力端子は、誤り訂正部１０４に接続されている。制御部１０６の入力端子は、誤り検出部１０５に接続されている。
【００６１】
また、図６は、復調部５０１の内部構成を示すブロック図である。図６に示す復調部５０１は、図２に示す復調部１０３の逆拡散部２０１の代わりに逆拡散部６０１を具備して成るものである。また、復調部５０１は、復調部１０３の相関値選択出力部２０２の代わりに相関値選択出力部６０２を具備して成るものである。相関値選択出力部６０２は、相関値選択部６０３、相関値格納部６０４および相関値出力部６０５を具備している。逆拡散部６０１は、逆拡散装置６０１−１、６０２−２、…、６０２−Ｎを具備している。
【００６２】
逆拡散装置６０１−１〜６０１−Ｎの入力端子は、無線受信部１０２に接続されている。相関値選択部６０３の入力端子は、逆拡散装置６０１−１〜６０１−Ｎに接続されている。相関値格納部６０４の入力端子は、相関値選択部６０３に接続されている。相関値出力部６０５の入力端子は、相関値選択部６０３および相関値格納部６０４に接続されている。メモリ装置２０３の入力端子は、相関値出力部６０５に接続されている。信号選択出力部２０４の入力端子は、メモリ装置２０３および誤り検出部１０５に接続されている。
【００６３】
復調部５０１は、無線受信部１０２から受信信号を受信した時に、復調受信信号を出力する。また、復調部５０１は、誤り検出部１０５から誤り検出結果を受信した時に、復調受信信号を出力する。以下、復調部５０１における復調動作の詳細について説明する。
【００６４】
逆拡散部６０１において、逆拡散部６０１−１〜６０１−Ｎは、逆拡散装置２０１−１〜２０１−Ｎと同様に、Ｎ個の拡散符号を１つずつ有する。逆拡散装置６０１−１〜６０１−Ｎは、送信装置からの１回目の送信時に受信信号をＮ個の拡散符号の各々を用いて逆拡散して、Ｎ個の拡散符号に各々対応するＮ個の第１逆拡散信号を生成する。Ｎ個の第１逆拡散信号の各々は、固有の第１相関値を有する。また、逆拡散装置６０１−１〜６０１−Ｎは、送信装置からの再送時に受信信号をＮ個の拡散符号の各々を用いて逆拡散して、Ｎ個の拡散符号に各々対応するＮ個の第２逆拡散信号を生成する。Ｎ個の第２逆拡散信号の各々は、固有の第２相関値を有する。すなわち、逆拡散部６０１は、送信装置からの１回目の送信時に受信信号を複数の拡散符号の各々を用いて逆拡散して複数の第１相関値を生成する動作を実行する。また、逆拡散部６０１は、送信装置からの再送時に受信信号を複数の拡散符号の各々を用いて逆拡散して複数の第２相関値を生成する動作を実行する。
【００６５】
相関値選択部６０３は、逆拡散部６０１において１回目の送信時に生成されたＮ個の第１逆拡散信号を互いに比較することにより相対的に大きい第１相関値を有するＫ個の第１逆拡散信号を選択する。より具体的には、相関値選択部６０３は、Ｎ個の第１逆拡散信号のうち最大の第１相関値を有するものからＫ番目に大きな第１相関値を有するものまでを含むＫ個の第１逆拡散信号を選択する。また、相関値選択部６０３は、１回目の送信時と同様に、逆拡散部６０１において再送時に生成されたＮ個の第２逆拡散信号のうち相対的に大きい第２相関値を有するＫ個の第２逆拡散信号を選択する。すなわち、相関値選択部６０３は、１回目の送信時に複数の第１相関値のうち大きい値を有する所定数の第１相関値を選択する動作を実行する。また、相関値選択部６０３は、再送時に複数の第２相関値のうち大きい値を有する所定数の第２相関値を選択する動作を実行する。
【００６６】
相関値格納部６０４は、相関値選択部６０３によって１回目の送信時に選択されたＫ個の第１逆拡散信号を一時的に格納する。換言すれば、相関値格納部６０４は、１回目の送信時に所定数の第１逆拡散信号の第１相関値を一時的に格納する。相関値格納部６０４は、一時的に格納されたＫ個の第１逆拡散信号を相関値出力部６０５に出力する。
【００６７】
相関値出力部６０５は、相関値選択部６０３によって１回目の送信時に選択されたＫ個の第１逆拡散信号をメモリ装置２０３に出力する。より具体的には、相関値出力部６０５は、現在時刻において相関値選択部６０３から得られたＫ個の第１逆拡散信号を選択してメモリ装置２０３に出力する。すなわち、相関値出力部６０５は、１回目の送信時に所定数の第１相関値を出力する動作を実行する。また、相関値出力部６０５は、相関値選択部６０３によって再送時に選択されたＫ個の第２逆拡散信号の第２相関値と相関値格納部６０４によって１回目の送信時に格納されたＫ個の第１逆拡散信号の第１相関値とを比較する。そして、相関値出力部６０５は、Ｋ個の第１相関値およびＫ個の第２相関値のうち大きい値を有する方を選択して所定数の相関値としてメモリ装置２０３に出力する。すなわち、相関値出力部６０５は、再送時に所定数の第１相関値および所定数の第２相関値のうち大きい値を有する方を選択して出力する動作を実行する。メモリ装置２０３および信号選択出力部２０４の動作は、実施の形態１において説明したとおりである。
【００６８】
このように、実施の形態２によれば、送信装置が実際に用いた拡散符号と異なる拡散符号に対応する相関値が最大になった時でも送信装置が実際に用いた拡散符号と同一の拡散符号に対応する復調受信信号を受信データとして出力することができ、かつ、拡散符号の拡散率を大きくする必要がないため、伝送効率を低下させることなく誤り率特性を向上させることができる。また、実施の形態２によれば、メモリ装置２０３においてＮ個の相関値の全てを記憶する必要がないため、メモリ装置２０３のメモリ容量を削減することができる。また、実施の形態２によれば、１回目送信時の逆拡散信号および再送時の逆拡散信号のうち相関値が大きい方を使用するため、実施の形態１における受信装置１００の場合よりもさらに誤り率特性を向上させることができる。
【００６９】
（実施の形態３）
図７は、本発明の実施の形態３に係る受信装置の構成を示すブロック図である。なお、実施の形態３に係る受信装置は、実施の形態１に係る受信装置１００と同様の基本的構成を有しており、同一の構成要素には同一の参照符号を付し、その説明を省略する。図７に示す受信装置７００は、図１に示す受信装置１００における復調部１０３の代わりに復調部７０１を具備して成るものである。
【００７０】
無線受信部１０２の入力端子は、アンテナ１０１に接続されている。復調部７０１の入力端子は、無線受信部１０２および誤り検出部１０５に接続されている。誤り訂正部１０４の入力端子は、復調部７０１に接続されている。誤り検出部１０５の入力端子は、誤り訂正部１０４に接続されている。制御部１０６の入力端子は、誤り検出部１０５に接続されている。
【００７１】
また、図８は、復調部７０１の内部構成を示すブロック図である。復調部７０１は、実施の形態２における復調部５０１と同様の基本的構成を有しており、同一の構成要素には同一の参照符号を付し、その説明を省略する。復調部７０１は、図６に示す復調部５０１の相関値選択出力部６０２の代わりに相関値選択出力部８０１を具備して成るものである。相関値選択出力部８０１は、相関値選択出力部６０２における相関値出力部６０５の代わりに相関値出力部８０２を具備して成るものである。
【００７２】
逆拡散装置６０１−１〜６０１−Ｎの入力端子は、無線受信部１０２に接続されている。相関値選択部６０３の入力端子は、逆拡散装置６０１−１〜６０１−Ｎに接続されている。相関値格納部６０４の入力端子は、相関値選択部６０３に接続されている。相関値出力部８０２の入力端子は、相関値選択部６０３および相関値格納部６０４に接続されている。メモリ装置２０３の入力端子は、相関値出力部８０２に接続されている。信号選択出力部２０４の入力端子は、メモリ装置２０３および誤り検出部１０５に接続されている。
【００７３】
復調部７０１は、無線受信部１０２から受信信号を受信した時に、復調受信信号を出力する。また、復調部７０１は、誤り検出部１０５から誤り検出結果を受信した時に、復調受信信号を出力する。以下、復調部７０１における復調動作について説明する。
【００７４】
相関値出力部８０２は、相関値選択部６０３によって１回目の送信時に選択されたＫ個の第１逆拡散信号をメモリ装置２０３に出力する。より具体的には、相関値出力部８０２は、現在時刻において相関値選択部６０３から得られたＫ個の第１逆拡散信号を選択してメモリ装置２０３に出力する。すなわち、相関値出力部８０２は、１回目の送信時に所定数の第１相関値を出力する動作を実行する。
【００７５】
また、相関値出力部８０２は、相関値選択部６０３によって再送時に選択されたＫ個の第２逆拡散信号の第２相関値および相関値格納部６０４によって１回目の送信時に格納されたＫ個の第１逆拡散信号の第１相関値を合成する。相関値出力部８０２は、合成によって得られた結果をＫ個の相関値を有するＫ個の逆拡散信号としてメモリ装置２０３に出力する。すなわち、相関値出力部８０２は、再送時に所定数の第１相関値および所定数の第２相関値を合成して所定数の相関値として出力する動作を実行する。なお、相関値出力部８０２における逆拡散信号の合成技術の一例として、等利得合成、最大比合成またはＭＭＳＥ（Ｍｉｎｉｍｕｍ  Ｍｅａｎ  Ｓｑｕａｒｅ  Ｅｒｒｏｒ）合成などが挙げられる。
【００７６】
また、逆拡散部６０１、相関値選択部６０３および相関値格納部６０４の動作は、実施の形態２において説明したとおりである。また、メモリ装置２０３および信号選択出力部２０４の動作は、実施の形態１において説明したとおりである。
【００７７】
このように、実施の形態３によれば、送信装置が実際に用いた拡散符号と異なる拡散符号に対応する相関値が最大になった時でも送信装置が実際に用いた拡散符号と同一の拡散符号に対応する復調受信信号を受信データとして出力することができ、かつ、拡散符号の拡散率を大きくする必要がないため、伝送効率を低下させることなく誤り率特性を向上させることができる。また、実施の形態３によれば、メモリ装置２０３においてＮ個の相関値の全てを記憶する必要がないため、メモリ装置２０３のメモリ容量を削減することができる。また、実施の形態３によれば、１回目送信時の逆拡散信号および再送時の逆拡散信号を合成するため、実施の形態２における受信装置５００の場合よりもさらに誤り率特性を向上させることができる。
【００７８】
（実施の形態４）
図９は、本発明の実施の形態４に係る受信装置の構成を示すブロック図である。なお、実施の形態４に係る受信装置は、実施の形態１に係る受信装置１００と同様の基本的構成を有しており、同一の構成要素には同一の参照符号を付し、その説明を省略する。図９に示す受信装置９００は、図１に示す受信装置１００における復調部１０３の代わりに復調部９０１を具備して成るものである。
【００７９】
無線受信部１０２の入力端子は、アンテナ１０１に接続されている。復調部９０１の入力端子は、無線受信部１０２および誤り検出部１０５に接続されている。誤り訂正部１０４の入力端子は、復調部９０１に接続されている。誤り検出部１０５の入力端子は、誤り訂正部１０４に接続されている。制御部１０６の入力端子は、誤り検出部１０５に接続されている。
【００８０】
また、図１０は、復調部９０１の内部構成を示すブロック図である。図１０に示す復調部９０１は、図２に示す復調部１０３の逆拡散部２０１の代わりに逆拡散部１００１を具備して成るものである。逆拡散部１００１は、パス割り当て部１００２、逆拡散ユニット１００４ａ、１００４ｂおよびＲＡＫＥ合成部１００３−１、１００３−２、…、１００３−Ｎを具備している。逆拡散ユニット１００４ａは、Ｎ個の逆拡散装置１００４ａ−１、１００４ａ−２、…、１００４ａ−Ｎを具備している。逆拡散ユニット１００４ｂは、Ｎ個の逆拡散装置１００４ｂ−１、１００４ｂ−２、…、１００４ｂ−Ｎを具備している。
【００８１】
パス割り当て部１００２の入力端子は、無線受信部１０２に接続されている。逆拡散装置１００４ａ−１〜１００４ａ−Ｎの入力端子は、パス割り当て部１００２に接続されている。逆拡散装置１００４ｂ−１〜１００４ｂ−Ｎの入力端子は、パス割り当て部１００２に接続されている。ＲＡＫＥ合成部１００３−１の入力端子は、逆拡散装置１００４ａ−１、１００４ｂ−１に接続されている。ＲＡＫＥ合成部１００３−２の入力端子は、逆拡散装置１００４ａ−２、１００４ｂ−２に接続されている。ＲＡＫＥ合成部１００３−Ｎの入力端子は、逆拡散装置１００４ａ−Ｎ、１００４ｂ−Ｎに接続されている。相関値選択出力部２０２の入力端子は、ＲＡＫＥ合成部１００３−１〜１００３−Ｎに接続されている。メモリ装置２０３の入力端子は、相関値選択出力部２０２に接続されている。信号選択出力部２０４の入力端子は、誤り検出部１０５およびメモリ装置２０３に接続されている。
【００８２】
復調部９０１は、無線受信部１０２から受信信号を受信した時に、復調受信信号を出力する。また、復調部９０１は、誤り検出部１０５から誤り検出結果を受信した時に、復調受信信号を出力する。以下、復調部９０１における復調動作について説明する。
【００８３】
パス割り当て部１００２は、マルチパス環境下で受信された送信信号から生成された受信信号を無線受信部１０２から得る。パス割り当て部１００２は、受信信号のうち第１のタイミングで受信された第１のパスにおける第１の信号を逆拡散ユニット１００４ａに割り当てる。パス割り当て部１００２は、受信信号のうち第１のタイミングより早い第２のタイミングで受信された第２のパスにおける第２の信号を逆拡散ユニット１００４ｂに割り当てる。ここで、第１のタイミングおよび第２のタイミングの時間差を時間ｔとして説明すると、パス割り当て部１００２は、第２の信号を逆拡散ユニット１００４ｂに割り当てる時に第２の信号を時間ｔだけ遅延することによりタイミングを調整してから割り当てを行う。
【００８４】
逆拡散ユニット１００４ａにおいて、逆拡散装置１００４ａ−１〜１００４ａ−Ｎは、逆拡散装置２０１−１〜２０１−Ｎと同様に、Ｎ個の拡散符号を１つずつ有する。逆拡散装置１００４ａ−１〜１００４ａ−Ｎは、Ｎ個の拡散符号の各々を用いて第１の信号を逆拡散して、Ｎ個の拡散符号に各々対応するＮ個の第１逆拡散信号を生成する。Ｎ個の第１逆拡散信号の各々は、固有の第１予備相関値を有する。
【００８５】
逆拡散ユニット１００４ｂにおいて、逆拡散装置１００４ｂ−１〜１００４ｂ−Ｎは、逆拡散装置２０１−１〜２０１−Ｎと同様に、Ｎ個の拡散符号を１つずつ有する。逆拡散装置１００４ｂ−１は、逆拡散装置１００４ａ−１と同一の拡散符号を有する。逆拡散装置１００４ｂ−２は、逆拡散装置１００４ａ−２と同一の拡散符号を有する。逆拡散装置１００４ｂ−Ｎは、逆拡散装置１００４ａ−Ｎと同一の拡散符号を有する。逆拡散装置１００４ｂ−１〜１００４ｂ−Ｎは、Ｎ個の拡散符号の各々を用いて第２の信号を逆拡散して、Ｎ個の拡散符号に各々対応するＮ個の第２逆拡散信号を生成する。Ｎ個の第２逆拡散信号の各々は、固有の第２予備相関値を有する。
【００８６】
逆拡散装置１００４ａ−１、１００４ｂ−１によって生成された第１逆拡散信号の第１予備相関値および第２逆拡散信号の第２予備相関値は、第１の予備相関値グループを構成する。逆拡散装置１００４ａ−２、１００４ｂ−２によって生成された第１逆拡散信号の第１予備相関値および第２逆拡散信号の第２予備相関値は、第２の予備相関値グループを構成する。逆拡散装置１００４ａ−Ｎ、１００４ｂ−Ｎによって生成された第１逆拡散信号の第１予備相関値および第２逆拡散信号の第２予備相関値は、第Ｎの予備相関値グループを構成する。すなわち、逆拡散ユニット１００４ａ、１００４ｂは、受信信号の複数のパスにおける複数の信号の各々を複数の拡散符号の各々を用いて逆拡散して、複数の予備相関値グループを生成する動作を実行する。また、複数の予備相関値グループの各々は、複数の予備相関値を有する。
【００８７】
ＲＡＫＥ合成部１００３−１は、第１の予備相関値グループにおける第１逆拡散信号の第１予備相関値および第２逆拡散信号の第２予備相関値をＲＡＫＥ合成して、固有の相関値を有する逆拡散信号を生成する。ＲＡＫＥ合成部１００３−２は、第２の予備相関値グループにおける第１逆拡散信号の第１予備相関値および第２逆拡散信号の第２予備相関値をＲＡＫＥ合成して、固有の相関値を有する逆拡散信号を生成する。ＲＡＫＥ合成部１００３−Ｎは、第Ｎの予備相関値グループにおける第１逆拡散信号の第１予備相関値および第２逆拡散信号の第２予備相関値をＲＡＫＥ合成して、固有の相関値を有する逆拡散信号を生成する。すなわち、ＲＡＫＥ合成部１００３−１〜１００３−Ｎは、予備相関値グループ毎に複数の予備相関値をＲＡＫＥ合成して複数の相関値を生成する動作を実行する。そして、ＲＡＫＥ合成部１００３−１〜１００３−Ｎは、固有の相関値をそれぞれ有するＮ個の逆拡散信号を相関値選択出力部２０２に出力する。相関値選択出力部２０２、メモリ装置２０３および信号選択出力部２０４の動作は、実施の形態１において説明したとおりである。
【００８８】
このように、実施の形態４によれば、送信装置が実際に用いた拡散符号と異なる拡散符号に対応する相関値が最大になった時でも送信装置が実際に用いた拡散符号と同一の拡散符号に対応する復調受信信号を受信データとして出力することができ、かつ、拡散符号の拡散率を大きくする必要がないため、伝送効率を低下させることなく誤り率特性を向上させることができる。また、実施の形態４によれば、メモリ装置２０３においてＮ個の相関値の全てを記憶する必要がないため、メモリ装置２０３のメモリ容量を削減することができる。また、実施の形態４によれば、受信信号の複数のパスにおける複数の信号を逆拡散することにより生成される複数の逆拡散信号の相関値をＲＡＫＥ合成するため、実施の形態１における受信装置１００の場合よりもさらに誤り率特性を向上させることができる。
【００８９】
なお、実施の形態４において、逆拡散部１００１は２つの逆拡散ユニット１００４ａ、１００４ｂを具備している。ただし、逆拡散部１００１の構成はこれに限定されない。逆拡散部１００１は、Ｌ個（Ｌは３以上の整数）の逆拡散ユニットを具備する構成であっても良い。この場合においても、上記と同様の作用効果を実現することが可能である。
【００９０】
（実施の形態５）
図１１は、本発明の実施の形態５に係る受信装置の構成を示すブロック図である。なお、実施の形態５に係る受信装置は、実施の形態１に係る受信装置１００と同様の基本的構成を有しており、同一の構成要素には同一の参照符号を付し、その説明を省略する。図１１に示す受信装置１１００は、図１に示す受信装置１００におけるアンテナ１０１および無線受信部１０２の代わりにアンテナ１０１−１、１０１−２および無線受信部１０２−１、１０２−２を具備している。また、受信装置１１００は、受信装置１００における復調部１０３の代わりに復調部１１０１を具備して成るものである。
【００９１】
無線受信部１０２−１の入力端子は、アンテナ１０１−１に接続されている。無線受信部１０２−２の入力端子は、アンテナ１０１−２に接続されている。復調部１１０１の入力端子は、無線受信部１０２−１、１０２−２および誤り検出部１０５に接続されている。誤り訂正部１０４の入力端子は、復調部１１０１に接続されている。誤り検出部１０５の入力端子は、誤り訂正部１０４に接続されている。制御部１０６の入力端子は、誤り検出部１０５に接続されている。
【００９２】
また、図１２は、復調部１１０１の内部構成を示すブロック図である。図１２に示す復調部１１０１は、図２に示す復調部１０３の逆拡散部２０１の代わりに逆拡散部１２０１を具備して成るものである。逆拡散部１２０１は、逆拡散ユニット１２０２ａ、１２０２ｂおよび相関値生成部１２０３−１、１２０３−２、…、１２０３−Ｎを具備している。逆拡散ユニット１２０２ａは、逆拡散装置１２０２ａ−１、１２０２ａ−２、…、１２０２ａ−Ｎを具備している。逆拡散ユニット１２０２ｂは、逆拡散装置１２０２ｂ−１、１２０２ｂ−２、…、１２０２ｂ−Ｎを具備している。
【００９３】
逆拡散装置１２０２ａ−１〜１２０２ａ−Ｎの入力端子は、無線受信部１０２−１に接続されている。逆拡散装置１２０２ｂ−１〜１２０２ｂ−Ｎの入力端子は、無線受信部１０２−２に接続されている。相関値生成部１２０３−１の入力端子は、逆拡散装置１２０２ａ−１、１２０２ｂ−１に接続されている。相関値生成部１２０３−２の入力端子は、逆拡散装置１２０２−２、１２０２−２に接続されている。相関値生成部１２０３−Ｎの入力端子は、逆拡散装置１２０２ａ−Ｎ、１２０２ｂ−Ｎに接続されている。相関値選択出力部２０２の入力端子は、相関値生成部１２０３−１〜１２０３−Ｎに接続されている。メモリ装置２０３の入力端子は、相関値選択出力部２０２に接続されている。信号選択出力部２０４の入力端子は、誤り検出部１０５およびメモリ装置２０３に接続されている。
【００９４】
無線受信部１０２−１は、送信信号をアンテナ１０１−１を介して受信する。無線受信部１０２−１は、送信信号をＲＦ信号からベースバンド信号に周波数変換して第１受信信号を生成する。無線受信部１０２−２は、送信信号をアンテナ１０１−２を介して受信する。無線受信部１０２−２は、送信信号をＲＦ信号からベースバンド信号に周波数変換して第２受信信号を生成する。
【００９５】
復調部１１０１は、無線受信部１０２−１、１０２−２から第１受信信号および第２受信信号を受信した時に、復調受信信号を出力する。また、復調部１１０１は、誤り検出結果を受信した時に、復調受信信号を出力する。以下、復調部１１０１における復調動作の詳細について説明する。
【００９６】
逆拡散ユニット１２０２ａにおいて、逆拡散装置１２０２ａ−１〜１２０２ａ−Ｎは、逆拡散装置２０１−１〜２０１−Ｎと同様にＮ個の拡散符号を１つずつ有する。逆拡散装置１２０２ａ−１〜１２０２ａ−Ｎは、Ｎ個の拡散符号の各々を用いて第１受信信号を逆拡散して、Ｎ個の拡散符号に各々対応するＮ個の第１逆拡散信号を生成する。Ｎ個の第１逆拡散信号の各々は、固有の第１予備相関値を有する。
【００９７】
逆拡散ユニット１２０２ｂにおいて、逆拡散装置１２０２ｂ−１〜１２０２ｂ−Ｎは、逆拡散装置２０１−１〜２０１−Ｎと同様に、Ｎ個の拡散符号を１つずつ有する。逆拡散装置１２０２ｂ−１は、逆拡散装置１２０２ａ−１と同一の拡散符号を有する。逆拡散装置１２０２ｂ−２は、逆拡散装置１２０２ａ−２と同一の拡散符号を有する。逆拡散装置１２０２ｂ−Ｎは、逆拡散装置１２０２ａ−Ｎと同一の拡散符号を有する。逆拡散装置１２０２ｂ−１〜１２０２ｂ−Ｎは、Ｎ個の拡散符号の各々を用いて第２受信信号を逆拡散して、Ｎ個の拡散符号に各々対応するＮ個の第２逆拡散信号を生成する。Ｎ個の逆拡散信号の各々は、固有の第２予備相関値を有する。
【００９８】
逆拡散装置１２０２ａ−１、１２０２ｂ−１によって生成された第１逆拡散信号の第１予備相関値および第２逆拡散信号の第２予備相関値は、第１の予備相関値グループを構成する。逆拡散装置１２０２ａ−２、１２０２ｂ−２によって生成された第１逆拡散信号の第１予備相関値および第２逆拡散信号の第２予備相関値は、第２の予備相関値グループを構成する。逆拡散装置１２０２ａ−Ｎ、１２０２ｂ−Ｎによって生成された第１逆拡散信号の第１予備相関値および第２逆拡散信号の第２予備相関値は、第Ｎの予備相関値グループを構成する。すなわち、逆拡散ユニット１２０２ａ、１２０２ｂは、複数のアンテナを介して受信され生成される複数の受信信号の各々を複数の拡散符号を用いて逆拡散して複数の予備相関値を生成する動作を実行する。また、複数の予備相関値グループの各々は、複数の予備相関値を有する。
【００９９】
相関値生成部１２０３−１は、第１の予備相関値グループにおける第１逆拡散信号の第１予備相関値および第２逆拡散信号の第２予備相関値を比較して、最大の相関値を有する逆拡散信号を選択する。相関値生成部１２０３−２は、第２の予備相関値グループにおける第１逆拡散信号の第１予備相関値および第２逆拡散信号の第２予備相関値を比較して、最大値を有する逆拡散信号を選択する。相関値生成部１２０３−Ｎは、第Ｎの予備相関値グループにおける第１逆拡散信号の第１予備相関値および第２逆拡散信号の第２予備相関値を比較して、最大値を有する逆拡散信号を選択する。すなわち、相関値生成部１２０３−１〜１２０３−Ｎは、予備相関値グループ毎に複数の予備相関値のうち最大値を有する予備相関値を選択して複数の相関値を生成する動作を実行する。そして、相関値生成部１２０３−１〜１２０３−Ｎは、Ｎ個の逆拡散信号を相関値選択出力部２０２に出力する。相関値選択出力部２０２、メモリ装置２０３および信号選択出力部２０４の動作は、実施の形態１において説明したとおりである。
【０１００】
このように、実施の形態５によれば、送信装置が実際に用いた拡散符号と異なる拡散符号に対応する相関値が最大になった時でも送信装置が実際に用いた拡散符号と同一の拡散符号に対応する復調受信信号を受信データとして出力することができ、かつ、拡散符号の拡散率を大きくする必要がないため、伝送効率を低下させることなく誤り率特性を向上させることができる。また、実施の形態５によれば、メモリ装置２０３においてＮ個の相関値の全てを記憶する必要がないため、メモリ装置２０３のメモリ容量を削減することができる。また、実施の形態５によれば、複数のアンテナを介して受信され生成された複数の受信信号から生成される複数の逆拡散信号のうち相関値の大きい方を使用するため、実施の形態１における受信装置１００の場合よりもさらに誤り率特性を向上させることができる。
【０１０１】
なお、実施の形態５において、受信装置１１００は、２本のアンテナ１０１−１、１０１−２を具備している。ただし、受信装置１１００の構成はこれに限定されない。受信装置１１００は、Ｍ本（Ｍは３以上の整数）のアンテナを具備する構成であっても良い。この場合、受信装置１１００は、Ｍ本のアンテナに各々対応するＭ個の無線受信部およびＭ個の逆拡散ユニットを具備する構成を有する。この場合においても、上記と同様の作用効果を実現することが可能である。
【０１０２】
また、実施の形態５における受信装置１１００は、実施の形態４におけるＲＡＫＥ合成部１００３−１〜１００３−Ｎをさらに具備する構成であっても良い。この場合、さらに誤り率特性を向上させることができる。
【０１０３】
（実施の形態６）
図１３は、本発明の実施の形態６に係る受信装置の構成を示すブロック図である。なお、実施の形態６に係る受信装置は、実施の形態１に係る受信装置１００と同様の基本的構成を有しており、同一の構成要素には同一の参照符号を付し、その説明を省略する。図１３に示す受信装置１３００は、図１に示す受信装置１００におけるアンテナ１０１および無線受信部１０２の代わりに、実施の形態５における受信装置１１００と同様のアンテナ１０１−１、１０１−２および無線受信部１０２−１、１０２−２を具備して成るものである。また、受信装置１３００は、受信装置１００における復調部１０３の代わりに復調部１３０１を具備して成るものである。
【０１０４】
無線受信部１０２−１の入力端子は、アンテナ１０１−１に接続されている。無線受信部１０２−２の入力端子は、アンテナ１０１−２に接続されている。復調部１３０１の入力端子は、無線受信部１０２−１、１０２−２および誤り検出部１０５に接続されている。誤り訂正部１０４の入力端子は、復調部１３０１に接続されている。誤り検出部１０５の入力端子は、誤り訂正部１０４に接続されている。制御部１０６の入力端子は、誤り検出部１０５に接続されている。
【０１０５】
また、図１４は、復調部１３０１の内部構成を示すブロック図である。図１４に示す復調部１３０１は、図２に示す復調部１０３の逆拡散部２０１の代わりに逆拡散部１４０１を具備している。逆拡散部１４０１は、実施の形態５における復調部１１０１と同様に逆拡散ユニット１２０２ａ、１２０２ｂを具備している。また、逆拡散部１４０１は、相関値生成部１４０２−１、１４０２−２、…、１４０２−Ｎを具備している。
【０１０６】
逆拡散装置１２０２ａ−１〜１２０２ａ−Ｎの入力端子は、無線受信部１０２−１に接続されている。逆拡散装置１２０２ｂ−１〜１２０２ｂ−Ｎの入力端子は、無線受信部１０２−２に接続されている。相関値生成部１４０２−１の入力端子は、逆拡散装置１２０２ａ−１、１２０２ｂ−１に接続されている。相関値生成部１４０２−２の入力端子は、逆拡散装置１２０２ａ−２、１２０２ｂ−２に接続されている。相関値生成部１４０２−Ｎの入力端子は、逆拡散装置１２０２ａ−Ｎ、１２０２ｂ−Ｎに接続されている。相関値選択出力部２０２の入力端子は、相関値生成部１４０２−１〜１４０２−Ｎに接続されている。メモリ装置２０３の入力端子は、相関値選択出力部２０２に接続されている。信号選択出力部２０４の入力端子は、誤り検出部１０５およびメモリ装置２０３に接続されている。
【０１０７】
復調部１３０１は、無線受信部１０２−１、１０２−２から第１受信信号および第２受信信号を受信した時に、復調受信信号を出力する。また、復調部１３０１は、誤り検出結果を受信した時に、復調受信信号を出力する。以下、復調部１３０１における復調動作の詳細について説明する。
【０１０８】
相関値生成部１４０２−１は、第１の予備相関値グループにおける第１逆拡散信号の第１予備相関値および第２逆拡散信号の第２予備相関値を合成して、固有の相関値を有する逆拡散信号を生成する。相関値生成部１４０２−２は、第２の予備相関値グループにおける第１の逆拡散信号の第１予備相関値および第２逆拡散信号の第２予備相関値を合成して、固有の相関値を有する逆拡散信号を生成する。相関値生成部１４０２−Ｎは、第Ｎの相関値グループにおける第１逆拡散信号の第１予備相関値および第２逆拡散信号の第２予備相関値を合成して、固有の相関値を有する逆拡散信号を生成する。すなわち、相関値生成部１４０２−１〜１４０２−Ｎは、Ｎ個の逆拡散信号を相関値選択出力部２０２に出力する。なお、相関値生成部１４０２−１〜１４０２−Ｎにおける逆拡散信号の合成技術の一例として、等利得合成、最大比合成またはＭＭＳＥ合成などが挙げられる。相関値選択出力部２０２、メモリ装置２０３および信号選択出力部２０４の動作は、実施の形態１において説明したとおりである。
【０１０９】
このように、実施の形態６によれば、送信装置が実際に用いた拡散符号と異なる拡散符号に対応する相関値が最大になった時でも送信装置が実際に用いた拡散符号と同一の拡散符号に対応する復調受信信号を受信データとして出力することができ、かつ、拡散符号の拡散率を大きくする必要がないため、伝送効率を低下させることなく誤り率特性を向上させることができる。また、実施の形態６によれば、メモリ装置２０３においてＮ個の相関値の全てを記憶する必要がないため、メモリ装置２０３のメモリ容量を削減することができる。また、実施の形態６によれば、複数のアンテナを介して受信され生成された複数の受信信号から生成される複数の逆拡散信号の相関値を合成するため、実施の形態１における受信装置１００の場合よりもさらに誤り率特性を向上させることができる。
【０１１０】
なお、実施の形態６において、受信装置１３００は、２本のアンテナ１０１−１、１０１−２を具備している。ただし、受信装置１３００の構成はこれに限定されない。受信装置１３００は、Ｐ本（Ｐは３以上の整数）のアンテナを具備する構成であっても良い。この場合、受信装置１３００は、Ｐ本のアンテナに各々対応するＰ個の無線受信部およびＰ個の逆拡散ユニットを具備する構成を有する。この場合においても、上記と同様の作用効果を実現することが可能である。
【０１１１】
また、実施の形態６における受信装置１３００は、実施の形態４におけるＲＡＫＥ合成部１００３−１〜１００３−Ｎをさらに具備する構成であっても良い。この場合、さらに誤り率特性を向上させることができる。
【０１１２】
【発明の効果】
以上説明したように、本発明によれば、伝送効率を低下させることなく誤り率特性を向上させることができる。
【図面の簡単な説明】
【図１】本発明の実施の形態１に係る受信装置の構成を示すブロック図
【図２】本発明の実施の形態１に係る受信装置の復調部の構成を示すブロック図
【図３】本発明の実施の形態１に係る受信装置の復調部の相関値選択出力部の構成の一例を示すブロック図
【図４】本発明の実施の形態１に係る受信装置の復調部の相関値選択出力部の構成の一例を示すブロック図
【図５】本発明の実施の形態２に係る受信装置の構成を示すブロック図
【図６】本発明の実施の形態２に係る受信装置の復調部の構成を示すブロック図
【図７】本発明の実施の形態３に係る受信装置の構成を示すブロック図
【図８】本発明の実施の形態３に係る受信装置の復調部の構成を示すブロック図
【図９】本発明の実施の形態４に係る受信装置の構成を示すブロック図
【図１０】本発明の実施の形態４に係る受信装置の復調部の構成を示すブロック図
【図１１】本発明の実施の形態５に係る受信装置の構成を示すブロック図
【図１２】本発明の実施の形態５に係る受信装置の復調部の構成を示すブロック図
【図１３】本発明の実施の形態６に係る受信装置の構成を示すブロック図
【図１４】本発明の実施の形態６に係る受信装置の復調部の構成を示すブロック図
【図１５】従来の受信装置の構成の一例を示すブロック図
【図１６】従来の受信装置の復調部の構成の一例を示すブロック図
【符号の説明】
１００、５００、７００、９００、１１００、１３００  受信装置
１０１、１０１−１、１０１−２  アンテナ
１０２、１０２−１、１０２−２  無線受信部
１０３、５０１、７０１、９０１、１１０１、１３０１  復調部
１０４  誤り訂正部
１０５  誤り検出部
１０６  制御部
２０１、６０１、１００１、１２０１、１４０１  逆拡散部
２０２、６０２、８０１  相関値選択出力部
２０３  メモリ装置
２０４  信号選択出力部
６０３  相関値選択部
６０４  相関値格納部
６０５、８０２  相関値出力部
１００４ａ、１００４ｂ、１２０２ａ、１２０２ｂ  逆拡散ユニット
１００２  パス割り当て部
１００３−１、１００３−２、…、１００３−Ｎ  ＲＡＫＥ合成部
１２０３−１、１２０３−２、…、１２０３−Ｎ、１４０２−１、１４０２−２、…、１４０２−Ｎ  相関値生成部
【図１】
2004229189.tif 000003
【図２】
2004229189.tif 000004
【図３】
2004229189.tif 000005
【図４】
2004229189.tif 000006
【図５】
2004229189.tif 000007
【図６】
2004229189.tif 000008
【図７】
2004229189.tif 000009
【図８】
2004229189.tif 000010
【図９】
2004229189.tif 000011
【図１０】
2004229189.tif 000012
【図１１】
2004229189.tif 000013
【図１２】
2004229189.tif 000014
【図１３】
2004229189.tif 000015
【図１４】
2004229189.tif 000016
【図１５】
2004229189.tif 000017
【図１６】
2004229189.tif 000018